(57)【要約】【課題】断熱性能に優れた電気湯沸かし器を提供する。【解決手段】液体を収容する有底筒状の容器２３と、前記容器２３の上方開口部を覆う蓋体２８と、前記蓋体２８に装着され前記蓋体２８閉時に前記容器２３の上方開口部と当接する防水パッキング３０と、前記容器２３の上方開口部を保持する注口２４とを有し、前記防水パッキング３０の外側面にリップ４０を形設し前記リップ４０の先端を隣接する前記注口２４と当接させたもので、防水パッキング３０と容器２３との当接部（シール部）で発生するヒートリークを熱抵抗となるリップで遮断できるため断熱性能を向上できる。【選択図】図２
2008029870.tif 000002
【特許請求の範囲】
【請求項１】
液体を収容する有底筒状の容器と、前記容器の上方開口部を覆う蓋体と、前記蓋体に装着され前記蓋体閉時に前記容器の上方開口部と当接する防水パッキングと、前記容器の上方開口部を保持する注口とを有し、前記防水パッキングの外側面にリップを形設し前記リップの先端を隣接する前記注口と当接させたことを特徴とする電気湯沸かし器。
【請求項２】
液体を収容する有底筒状の容器と、前記容器の上方開口部を覆う蓋体と、前記容器の上方開口部を保持する注口とを有し、前記蓋体の最外周下面を前記注口の容器保持部最上面よりも下側に位置させたことを特徴とする電気湯沸かし器。
【発明の詳細な説明】
【技術分野】
【０００１】
本発明は、収容液体を加熱・保温する電気湯沸かし器の断熱構成に関するものである。
【背景技術】
【０００２】
従来この種の電気湯沸かし器は、図４に示すようなものがあった。図において１は外側部を構成するボデーで、水などの液体２を収容する容器３を内包している。４は注口で中央開口部に容器３を載置し、容器３の外側面には真空断熱材などの容器断熱体５が装着されている。この容器３の外底面部には内部の液体２を加熱・保温する加熱手段６とサーミスターなどの感温素子７が装着されている。８は蓋体で容器３の上方開口部を開閉自在に取り付けられ、蓋体８の内部には発泡ポリプロピレン、アルミ箔などの蓋断熱体９が内包されている。１０は感温素子７からの電気信号により容器３内の液体２の温度を制御する制御回路である。
【０００３】
以上の構成により、液体２は加熱手段６により一定温度に加熱・保温され、保温中は容器３側面の容器断熱体５および蓋体８内部の蓋断熱体９により容器側面および容器上方からの放熱を抑え保温電力量を低減する構成となっていた。
【発明の開示】
【発明が解決しようとする課題】
【０００４】
しかしながら、上記従来の電気湯沸かし器の構成においては、蓋体に装着され蓋体閉時に容器の上方開口部と当接する防水パッキングと容器との当接部（シール部）で発生する熱流出が大きいため断熱性能の大幅な改善が困難であるという課題があった。
【０００５】
本発明は、上記従来の課題を解決し、断熱性能に優れた電気湯沸かし器を提供することを目的とするものである。
【課題を解決するための手段】
【０００６】
上記従来の課題を解決するために本発明の電気湯沸かし器は、液体を収容する有底筒状の容器と、前記容器の上方開口部を覆う蓋体と、前記蓋体に装着され前記蓋体閉時に前記容器の上方開口部と当接する防水パッキングと、前記容器の上方開口部を保持する注口とを有し、前記防水パッキングの外側面にリップを形設し前記リップの先端を隣接する前記注口と当接させたもので、防水パッキングと容器との当接部（シール部）で発生するヒートリークを熱抵抗となるリップで遮断できるため断熱性能を向上できる。
【０００７】
又、本発明の電気湯沸かし器は、液体を収容する有底筒状の容器と、前記容器の上方開口部を覆う蓋体と、前記容器の上方開口部を保持する注口とを有し、前記蓋体の最外周下面を前記注口の容器保持部最上面よりも下側に位置させたもので、防水パッキングと容器との当接部（シール部）で発生したヒートリークが蓋体と注口の隙間を通じて外部へ至ろうとしても外周では下方に向かう隙間となっているため放熱し難くなり、熱損失を低減できる。
【発明の効果】
【０００８】
本発明の電気湯沸かし器は、防水パッキングと容器との当接部（シール部）で発生するヒートリークを遮断できるため断熱性能を向上させることができる。
【発明を実施するための最良の形態】
【０００９】
第１の発明は、液体を収容する有底筒状の容器と、前記容器の上方開口部を覆う蓋体と、前記蓋体に装着され前記蓋体閉時に前記容器の上方開口部と当接する防水パッキングと、前記容器の上方開口部を保持する注口とを有し、前記防水パッキングの外側面にリップを形設し前記リップの先端を隣接する前記注口と当接させたもので、防水パッキングと容器との当接部（シール部）で発生するヒートリークを熱抵抗となるリップで遮断できるため断熱性能を向上できる。
【００１０】
第２の発明は、液体を収容する有底筒状の容器と、前記容器の上方開口部を覆う蓋体と、前記容器の上方開口部を保持する注口とを有し、前記蓋体の最外周下面を前記注口の容器保持部最上面よりも下側に位置させたもので、防水パッキングと容器との当接部（シール部）で発生したヒートリークが蓋体と注口の隙間を通じて外部へ至ろうとしても外周では下方に向かう隙間となっているため放熱し難くなり、熱損失を低減できる。
【００１１】
以下、本発明の実施の形態について、図面を参照しながら説明する。なお、この実施の形態によって本発明が限定されるものではない。
【００１２】
（実施の形態１）
以下に、本発明の第１の実施の形態における電気湯沸かし器を図１、図２により説明する。
【００１３】
図１、２において、液体２２を収容する有底筒状の容器２３と、液体２２を加熱・保温する加熱手段２６と、容器２３の上方開口部を覆う蓋体２８と、蓋体２８内部には発泡ポリプロピレン樹脂などを用いた蓋断熱材２９と、蓋体２８に装着され蓋体閉時に容器２３の上方開口部と当接する防水パッキング３０と、容器２３の外周部に位置し芯材３１（シリカ、パーライトなどの無機粉末、あるいはグラスウールなどの無機繊維、硬質ウレタンフォーム、発泡フェノール樹脂などを用いる）を外袋３２（樹脂フィルム、樹脂・金属箔ラミネートフィルム、例えば、ナイロン・ＰＥＴ・アルミ箔・無延伸ポリプロピレンなど）で覆い内部を真空状態（大気圧以下）にした真空断熱材３４と、真空断熱材３４の外周部に位置するボデー２１と、ボデー２１上部に載置され容器２３の上方開口部を保持する注口２４とから構成されている。
【００１４】
真空断熱材３４の上端は蓋体２８閉時に防水パッキング３０と容器２３が当接する面の相反する面に位置させた構成としている。
【００１５】
また、防水パッキング３０の外側面にリップ４０を形設し、リップ４０の先端を隣接する注口２４と当接させた構成としている。３６は、容器２３の下部に配した加熱手段２６を覆う遮熱板である。
【００１６】
次に、本実施の形態における作用を説明する。液体２２は加熱手段２６により一定温度に加熱・保温され、保温中は容器２３の外周部に配置した筒状の真空断熱材３４（熱伝導率＝約０．００５０〜０．００７０ｋｃａｌ／ｍｈ℃）および蓋体２８内部の蓋断熱材２９により、容器２３側面および容器２３上方からの放熱を抑制できるものである。従来の構成では、防水パッキング３０と容器２３の当接部から真空断熱材の上端までの間における放熱が非常に大きいため保温電力量の低減が非常に困難であった。しかしながら、本発明の構成においては真空断熱材３４の上端を防水パッキング３０と容器２３が当接する面の相反する面に配しているためこの部位での熱損失を大幅に抑制できるものである。
【００１７】
また、本発明の電気湯沸かし器において保温温度の設定を最高温度（９８℃保温）としたとき、保温安定時の平均保温電力量は３３ｗｈ／ｈであり、従来構成の性能（３７ｗｈ／ｈ）と比較して約４ｗｈ／ｈ改善が図れた。
【００１８】
以上の構成から明らかなように、高断熱効率なる真空断熱材３４の上端を蓋体２８閉時の防水パッキング３０と容器２３が当接する面の相反する面に配することで放熱を大幅に抑制でき、保温時の消費電力量を低減できるものである。
【００１９】
又、防水パッキング３０の外側面に形設したリップ４０の先端を隣接する注口２４と当接させたので、防水パッキング３０と容器２３との当接部（シール部）で発生する熱流出は防水パッキング３０に形設したリップ４０が熱抵抗となり遮断できるため断熱性能をさらに向上できるという作用を有する。
【００２０】
（実施の形態２）
以下に、本発明の第２の実施の形態における電気湯沸かし器を図３により説明する。図３において、蓋体２８の最外周下面を、注口２４の容器保持部最上面よりも下側に位置させた構成としたものである。この構成によれば、防水パッキング３０と容器２３との当接部（シール部）で発生する熱流出は外部と通ずる外周部で蓋体２８の外周面が熱抵抗となることで抑制されるため断熱性能をさらに向上できるという作用を有する。
【産業上の利用可能性】
【００２１】
以上のように本発明に係る電気湯沸かし器は、断熱性能に優れたもので、各種電気湯沸かし器に適用できる。
【図面の簡単な説明】
【００２２】
【図１】本発明の第１の実施の形態における電気湯沸かし器の断面図
【図２】同電気湯沸かし器の要部拡大断面図
【図３】本発明の第２の実施の形態における電気湯沸かし器の要部拡大断面図
【図４】従来の電気湯沸かし器を示す断面図
【符号の説明】
【００２３】
２１  ボデー
２２  液体
２３  容器
２４  注口
２６  加熱手段
２８  蓋体
２９  蓋断熱材
３０  防水パッキング
３１  芯材
３２  外袋
３４  真空断熱材
４０  リップ
【図１】
2008029870.tif 000003
【図２】
2008029870.tif 000004
【図３】
2008029870.tif 000005
【図４】
2008029870.tif 000006